(57)【要約】【課題】スピーカから警報音を所定パターンで報音する際の音乱れを回避する。【解決手段】電子時計１は、スピーカ３５と、時刻を計時する計時回路２７と、スピーカ３５から報音する警報音のオンとオフを制御する動作処理マイコン２と、表示部５と、表示部５を制御し、かつ動作処理マイコン２と通信接続されて時刻情報を表示部５に表示する表示マイコン４とを備える。動作処理マイコン２は、スピーカ３５から報音する警報音を所定パターンでオンオフさせる間、表示マイコン４との間の通信を停止する。【選択図】図１
2019086373.tif 000002
【特許請求の範囲】
【請求項１】
スピーカと、
時刻を計時する計時手段と、
前記スピーカから報音する警報音のオンとオフを制御する第１の制御部と、
表示手段と、
前記表示手段を制御し、かつ前記第１の制御部と通信接続されて時刻情報を前記表示手段に表示する第２の制御部と、を備えた電子時計であって、
前記第１の制御部は、前記警報音を所定パターンでオンオフさせる間、前記第２の制御部との間の通信を停止する、
ことを特徴とする電子時計。
【請求項２】
前記第１の制御部は、前記警報音を所定パターンでオンオフさせる間、前記第２の制御部に、前記表示手段を制御して所定の固定表示を行わせる、
ことを特徴とする請求項１に記載の電子時計。
【請求項３】
前記第１制御部は、前記警報音を所定期間に亘って長音で報音させつつ、並行して前記所定の固定表示を行わせるコマンドを前記第２制御部に送信する、
ことを特徴とする請求項２に記載の電子時計。
【請求項４】
前記所定期間は、前記第１の制御部が前記第２の制御部に前記所定の固定表示を行わせるコマンドを送信する処理を完了するまでの期間より長い、
ことを特徴とする請求項３に記載の電子時計。
【請求項５】
前記所定の固定表示は、前記表示手段に表示される時刻情報の秒表示を覆うように表示されるポップアップ画面を含む表示である、
ことを特徴とする請求項３に記載の電子時計。
【請求項６】
前記所定の固定表示は、秒単位に表示を更新する表示要素を含まない表示画面である、
ことを特徴とする請求項３に記載の電子時計。
【請求項７】
前記第１制御部は、前記警報音の報音を終了させる際、前記所定の固定表示を解除するコマンドを前記第２制御部に送信し、かつ前記第２制御部との間の通信を再開する、
ことを特徴とする請求項２に記載の電子時計。
【請求項８】
表示手段を制御する表示制御部と通信可能に接続され、スピーカから報音する警報音のオンとオフを制御可能に接続され、かつ時刻を計時する計時制御部が実行する電子時計の報音方法であって、
前記計時制御部は、前記スピーカから警報音を報音させない場合、前記表示制御部との間の通信により所望の表示を行わせ、
前記警報音を所定パターンでオンオフさせて報音させる間、前記表示制御部に所定の固定表示を行わせ、かつ前記表示制御部との間の通信を停止する、
ことを特徴とする電子時計の報音方法。
【請求項９】
表示手段を制御する表示制御部と通信可能に接続され、スピーカから報音させる警報音のオンとオフを制御可能に接続され、かつ時刻を計時する計時制御部に、
前記スピーカから前記警報音を報音させない場合、前記表示制御部との間の通信により所望の表示を行わせる手順、
前記警報音を所定パターンでオンオフさせて報音させる間、前記表示制御部に所定の固定表示を行わせる手順、および前記表示制御部との間の通信を停止する手順、
を実行させるためのプログラム。
【発明の詳細な説明】
【技術分野】
【０００１】
本発明は、電子時計、電子時計の報音方法、およびプログラムに関する。
【背景技術】
【０００２】
近年、電子時計には、２チップのマイコンを搭載したものが知られている。このような２チップマイコンを搭載した電子時計は、主要処理をする動作処理マイコンと表示処理をする表示マイコンとを含んで構成される。動作処理マイコンの処理結果を表示部に表示するため、動作処理マイコンは、表示マイコンに表示データ等を送信する通信処理を行っている。
【０００３】
電子時計は、アラームやタイマ等をユーザに報知するため、スピーカで警報音を所定パターンで報音する機能を有している。同様に警報音の報音を制御する技術に、特許文献１の発明がある。
特許文献１の要約書は、「警報通知装置であるレーダ２２は、少なくとも１つのセンサの検出情報を受信するとともに、前記センサ又は当該センサからの情報の受信に障害が発生した場合に警報をユーザに通知する。レーダ２２は、時刻同期部３７と、警報音発生タイミング制御部３３と、ブザー４０と、を備える。時刻同期部３７は、レーダ２２の内部時計３６と、他の警報通知装置の内部時計と、を同期させる。警報音発生タイミング制御部３３は、レーダ２２の内部時計３６に基づいて、警報発生時に警報音を鳴らすタイミングを制御する。ブザー４０は、警報音発生タイミング制御部３３で制御されたタイミングで警報音を鳴らす。」と記載されている。
【先行技術文献】
【特許文献】
【０００４】
【特許文献１】特開２０１５−２０１０８９号公報
【発明の概要】
【発明が解決しようとする課題】
【０００５】
動作処理マイコンはスピーカから警報音を、例えば１６Ｈｚ（６２．５ミリ秒間隔）の所定パターンで報音するように制御する。しかし、動作処理マイコンが表示マイコンに表示データ等を送信する処理は、表示データ量によっては警報音の制御周期（６２．５ミリ秒）よりも長い時間が掛かってしまう場合がある。
【０００６】
そのような場合、動作処理マイコンは、データ通信処理中に他の処理をすることができないため、警報音の報音制御を１６Ｈｚの等間隔で行うことができず、よって警報音の報音パターンが乱れてしまう場合がある。
そこで、本発明は、電子時計、電子時計の報音方法、およびプログラムについて、スピーカから警報音を所定パターンで報音する際の音乱れを回避することを課題とする。
【課題を解決するための手段】
【０００７】
本発明は、上記目的を達成するため、
スピーカと、
時刻を計時する計時手段と、
前記スピーカから報音する警報音のオンとオフを制御する第１の制御部と、
表示手段と、
前記表示手段を制御し、かつ前記第１の制御部と通信接続されて時刻情報を前記表示手段に表示する第２の制御部と、を備えた電子時計であって、
前記第１の制御部は、前記警報音を所定パターンでオンオフさせる間、前記第２の制御部との間の通信を停止することを特徴とする電子時計である。
【発明の効果】
【０００８】
本発明によれば、スピーカから警報音を所定パターンで報音する際の音乱れを回避することが可能となる。
【図面の簡単な説明】
【０００９】
【図１】各実施形態における電子時計の概略を示す構成図である。
【図２】アラーム・タイマのタイムアップ・気圧変動を検知した場合の報音パターンテーブルを示す図である。
【図３】アラームを検知した場合の理想的な警報音の報音パターンを示す図である。
【図４】タイマのタイムアップを検知した場合の理想的な警報音の報音パターンを示す図である。
【図５】気圧変動を検知した場合の理想的な警報音の報音パターンを示す図である。
【図６】アラームを報知する際に表示されるポップアップ画面を示す図である。
【図７】タイマのタイムアップを報知する際に表示されるポップアップ画面を示す図である。
【図８】気圧変動を報知する際に表示されるポップアップ画面例を示す図である。
【図９】第１の実施形態における電子時計の通常処理とデータ送信処理のフローチャートである。
【図１０】第１の実施形態における報音パターンと表示通信のタイムチャートである。
【図１１】第２の実施形態における警報音の報音処理のフローチャートである。
【図１２】第２の実施形態における報音開始時の報音パターンと表示通信のタイムチャートである。
【図１３】第２の実施形態における報音終了時の報音パターンと表示通信のタイムチャートである。
【発明を実施するための形態】
【００１０】
以降、本発明を実施するための形態を、各図を参照して詳細に説明する。
図１は、各実施形態における電子時計１の概略を示す構成図である。
電子時計１は、特には限られないが、例えば腕に装着するためのバンドを備えた腕時計型の電子時計である。この電子時計１は、時計ＬＳＩ（Large Scale Integration）である動作処理マイコン２、ＲＯＭ（Read Only Memory）２３、操作部３１、気圧センサ３２、電源部３３、電池３４、スピーカ３５、振動子７を含んで構成される。電子時計１は更に、表示マイコン４、表示部５、ＲＯＭ４３を含んで構成される。これら動作処理マイコン２と表示マイコン４とは、通信線８によって双方向に通信可能に接続されている。
【００１１】
操作部３１は、例えばリュウズやボタンであり、ユーザの操作情報を動作処理マイコン２に伝達する。気圧センサ３２は、現在の気圧情報を検知する。電池３４と電源部３３は、この電子時計１に電力を供給する。
電源部３３は、例えば、電圧変換回路である。電源部３３は、電子時計１内の各部の動作電圧で電力を供給する。電池３４としては、例えば、ボタン型乾電池などの一次電池が用いられる。または電池３４として、ソーラパネルと二次電池の組合せが用いられてもよい。スピーカ３５は、圧電スピーカや圧電ブザーであり、動作処理マイコン２が警報音のオンとオフを制御することにより、例えば可聴音からなる警報音を所望のパターンで報音するものである。なお、スピーカ３５は、自律的に警報音を報音しても、動作処理マイコン２から音声信号が入力されて警報音を報音してもよく、限定されない。この動作処理マイコン２は、警報音のオンとオフを制御する第１の制御部または計時制御部として機能する。
【００１２】
振動子７は、例えば、水晶振動子であり、後記する発振回路２５と組み合わされて固有の周波数信号を生成する。
ＲＯＭ２３は、例えばフラッシュメモリなどの情報を読み出しおよび書き込み可能に記憶する不揮発性の半導体メモリである。このＲＯＭ２３は、後記する報音パターンテーブル２３１を格納している。
【００１３】
動作処理マイコン２は更に、ＣＰＵ２１、ＲＡＭ２２、時間制御レジスタ２４、発振回路２５、分周回路２６、計時回路２７を含んで構成され、外付けのＲＯＭ２３に接続されている。
【００１４】
ＣＰＵ２１は、電子時計１の主要処理を実行する第１の制御部である。ＣＰＵ２１は、ＲＡＭ２２をワーク領域としてＲＯＭ２３に記憶されたプログラムによる各種演算処理を行い、電子時計１の主要処理を実行するものである。
【００１５】
発振回路２５は、振動子７と組み合わされて固有の周波数信号を生成して分周回路２６に出力する。発振回路２５としては、例えば、水晶発振回路が用いられる。
分周回路２６は、発振回路２５から入力された信号をＣＰＵ２１や計時回路２７が利用する各種周波数の信号に分周して出力する。
【００１６】
時間制御レジスタ２４は、予め定められた周波数または周期で割り込みを発生させるレジスタである。
計時回路２７は、分周回路２６から入力された所定の周波数信号の回数を計数し、初期時刻に加算してゆくことで現在時刻を計数するカウンタ回路である。計時回路２７により計数される現在時刻は、ＣＰＵ２１により読み出されて時刻表示に用いられる。このように、振動子７、発振回路２５、分周回路２６、および計時回路２７により時刻を計数する計時手段が構成されてもよく、更にソフトウェア的に制御される計時手段であってもよい。
【００１７】
表示マイコン４は、ＣＰＵ４１、ＲＡＭ４２を含んで構成され、通信線８により動作処理マイコン２と通信接続されて、更に外付けのＲＯＭ４３に接続されている。ＣＰＵ４１は、ＲＡＭ４２をワーク領域としてＲＯＭ４３に記憶されたプログラムによる各種演算処理を行い、表示部５への表示処理を実行するものである。ＣＰＵ４１は、表示部５を制御し、かつ動作処理マイコン２と通信接続されて時刻情報を表示部５に表示する第２の制御部または表示制御部として機能する。
【００１８】
図２は、アラーム・タイマのタイムアップ・気圧変動を検知した場合の報音パターンテーブル２３１を示す図である。
この報音パターンテーブル２３１は、アラームを報知する場合の報音パターン、タイマのタイムアップを報知する場合の報音パターン、気圧変動を報知する場合の報音パターンを格納している。「０」欄から「１５」欄が、１／１６秒周期の各順番におけるスピーカ３５から報音する警報音のオンとオフとを示している。各行の０がオフを示し、１がオンを示している。
【００１９】
ＣＰＵ２１は、この報音パターンテーブル２３１に従って警報音をオンオフすることで、所望のパターンでスピーカ３５から警報音を報音させることができる。
【００２０】
図３は、アラームを報知する場合の理想的な警報音の報音バターンを示す図である。
図３の横軸は時間を示し、横軸の下側の数字は、警報音の制御周期の番号を示している。縦軸は警報音のオンとオフとを示している。
アラームを報知する場合の理想的な警報音の報音パターンは、時刻ｔ０の１／１６秒後にオンし、３／１６秒後にオフし、５／１６秒後にオンし、７／１６秒後にオフし、９／１６秒後にオンし、１１／１６秒後にオフするというものである。電子時計１は、この報音パターンによる警報音のオンオフを更に１０回繰り返して、アラームを報知する。動作マイコン２は、図２の報音パターンテーブル２３１のアラーム行を参照することで、この報音パターンで警報音をオンオフしている。
【００２１】
図４は、タイマのタイムアップを検知した場合の理想的な警報音の報音パターンを示す図である。
図４の横軸は時間を示し、横軸の下側の数字は、警報音の制御周期の番号を示している。縦軸は警報音のオンとオフとを示している。
タイムアップを報知する場合の理想的な警報音の報音パターンは、時刻ｔ０の１／１６秒後にオンし、４／１６秒後にオフし、７／１６秒後にオンし、１０／１６秒後にオフし、１２／１６秒後にオンし、１５／１６秒後にオフするというものである。電子時計１は、この報音パターンによる警報音のオンオフを更に１０回繰り返して、アラームを報知する。動作マイコン２は、図２の報音パターンテーブル２３１のタイマ行を参照することで、この報音パターンで警報音をオンオフしている。
【００２２】
図５は、気圧変動を検知した場合の理想的な警報音の報音パターンを示す図である。
図５の横軸は時間を示し、横軸の下側の数字は、警報音制御周期の番号を示している。縦軸は警報音のオンとオフとを示している。
タイムアップを報知する場合の理想的な警報音の報音パターンは、時刻ｔ０の１／１６秒後にオンし、２／１６秒後にオフし、３／１６秒後にオンし、４／１６秒後にオフし、５／１６秒後にオンし、６／１６秒後にオフし、７／１６秒後にオンし、８／１６秒後にオフし、９／１６秒後にオンし、１０／１６秒後にオフするというものである。電子時計１は、この報音パターンによる警報音のオンオフを更に１０回繰り返して、アラームを報知する。動作マイコン２は、図２の報音パターンテーブル２３１の気圧を参照することで、この報音パターンで警報音をオンオフしている。
【００２３】
《第１の実施形態の動作》
第１の実施形態の動作処理マイコン２は、警報音を所定パターンでオンオフさせる間、表示マイコン４との間の通信を停止している。動作処理マイコン２は、警報音の報音中は、表示マイコン４により報音中専用の固定表示を行わせることで、固定表示の間には警報音の制御中の送信処理を無くし、警報音を所定パターンでオンオフさせる制御の間隔が乱れないようにしている。
図６は、アラームを報知する際に表示されるポップアップ画面を示す図である。
アラーム・ポップアップ６１は、時刻表示画面６の秒表示を覆うように表示される。このアラーム・ポップアップ６１には、“ALARM”が表示されている。ユーザが所定の時刻にアラームを設定したのち、動作処理マイコン２が所定の時刻に達したことを判定すると、スピーカ３５から警報音を所定パターンで報音し、このアラーム・ポップアップ６１を表示させる。
【００２４】
動作処理マイコン２のＣＰＵ２１は、スピーカ３５から警報音によってアラームを報知する際、表示マイコン４に対してアラーム・ポップアップ６１を表示させるように指示する。この指示を受けて、表示マイコン４のＣＰＵ４１は、表示部５にアラーム・ポップアップ６１を表示させる。このアラーム・ポップアップ６１が表示されている間、時計表示画面６の秒表示は画面更新を停止する。
【００２５】
図７は、タイマのタイムアップを報知する際に表示されるポップアップ画面を示す図である。
タイムアップ・ポップアップ６２は、時刻表示画面６の秒表示を覆うように表示される。このタイムアップ・ポップアップ６２には、“TIMER”と“TIME UP”とが表示されている。ユーザがタイマを設定したのち、動作処理マイコン２がタイムアップを判定すると、スピーカ３５から警報音を所定パターンで報音し、このタイムアップ・ポップアップ６２を表示させる。
【００２６】
動作処理マイコン２のＣＰＵ２１は、警報音によってタイムアップを報知する際、表示マイコン４に対してタイムアップ・ポップアップ６２を表示させるように指示する。この指示を受けて、表示マイコン４のＣＰＵ４１は、表示部５にタイムアップ・ポップアップ６２を表示させる。このタイムアップ・ポップアップ６２が表示されている間、時計表示画面６の秒表示は画面更新を停止する。
【００２７】
図８は、気圧インフォメーションを報知する際に表示されるポップアップ画面の一例を示す図である。
気圧インフォメーションポップアップ６３は、時刻表示画面６の秒表示を覆うように表示される。この気圧インフォメーションポップアップ６３には、“BARO”と“Bad Temper”が表示されている。気圧センサ３２によって、動作処理マイコン２が所定の気圧変動を判定すると、スピーカ３５から警報音を所定パターンで報音し、この気圧インフォメーションポップアップ６３を表示させる。
【００２８】
動作処理マイコン２のＣＰＵ２１は、気圧変動を警報音によって報知する際、表示マイコン４に対して気圧インフォメーションポップアップ６３を表示させるように指示する。この指示を受けて、表示マイコン４のＣＰＵ４１は、表示部５に気圧インフォメーションポップアップ６３を表示させる。この気圧インフォメーションポップアップ６３が表示されている間、時計表示画面６の秒表示は画面更新を停止する。
【００２９】
図９は、第１の実施形態における電子時計１のデータ送信処理のフローチャートである。
この電子時計１が起動すると、ＣＰＵ２１は、通常処理を実行する（ステップＳ１０）。ステップＳ１０の通常処理とは、時刻の計時、操作部３１による操作の検知、気圧センサ３２のセンシング、スピーカ３５からの警報音の報音処理など、表示通信処理を除く他の処理をいう。
ステップＳ１１において、ＣＰＵ２１は、報音の開始を判定する。アラーム、タイムアップ、気圧変動により報音開始の条件が成立する。
【００３０】
ＣＰＵ２１は、報音の開始ではないと判定したならば（Ｎｏ）、ステップＳ１３の処理に進む。ＣＰＵ２１は、報音の開始であると判定したならば（Ｙｅｓ）、報音監視の条件に応じたデータ送信モードを設定し（ステップＳ１２）、ステップＳ１３の処理に進む。
ＣＰＵ２１は、報音開始の条件がアラームならばデータ送信モードに１を、タイムアップならばデータ送信モードに２を設定する。ＣＰＵ２１は、高気圧通過ならばデータ送信モードに３を、低気圧通過ならばデータ送信モードに４を、気圧急降下ならばデータ送信モードに５を、気圧急上昇ならばデータ送信モードに６を設定する。
【００３１】
ステップＳ１３において、ＣＰＵ２１は、データ送信モードに応じて処理を分岐する。ＣＰＵ２１は、データ送信モードが０ならば、通常送信処理を行い（ステップＳ１４）、ステップＳ１０の処理に戻る。この通常通信処理とは、表示マイコン４に対して表示データを送信する処理のことをいう。
【００３２】
ＣＰＵ２１は、データ送信モードが１ならば、表示マイコン４に対してアラームに係る固定フラグ情報を送信する（ステップＳ１５）。これにより動作処理マイコン２は、表示マイコン４との間の通信を中断する。表示マイコン４は、図６に示したアラーム・ポップアップ６１を表示する。このアラーム・ポップアップ６１が秒表示を覆うように表示されるので、電子時計１の表示を停止してもユーザが違和感を感じることを低減または抑制することができる。ステップＳ１５の通信処理は、後記する図１０の固定表示開始通信処理Ｃ１０に対応する。
そしてＣＰＵ２１は、データ送信モードを０ｘＦＦ（１６進数）に設定して（ステップＳ１６）、ステップＳ１０の処理に戻る。
【００３３】
ＣＰＵ２１は、データ送信モードが２ならば、表示マイコン４に対してタイマに係る固定フラグ情報を送信する（ステップＳ１７）。これにより動作処理マイコン２は、表示マイコン４との間の通信を中断する。表示マイコン４は、図７に示したタイムアップ・ポップアップ６２を表示する。このタイムアップ・ポップアップ６２が秒表示を覆うように表示されるので、電子時計１の表示を停止してもユーザが違和感を感じることを低減または抑制することができる。ステップＳ１７の通信処理は、後記する図１０の固定表示開始通信処理Ｃ１０に対応する。
そしてＣＰＵ２１は、データ送信モードを０ｘＦＦ（１６進数）に設定して（ステップＳ１８）、ステップＳ１０の処理に戻る。
【００３４】
ＣＰＵ２１は、データ送信モードが３から６ならば、表示マイコン４に対してそれぞれ気圧に係る固定フラグ情報を送信する（ステップＳ１９）。これにより動作処理マイコン２は、表示マイコン４との間の通信を中断する。表示マイコン４は、例えば図８に示した気圧インフォメーションポップアップ６３を表示する。この気圧インフォメーションポップアップ６３が秒表示を覆うように表示されるので、電子時計１の表示を停止してもユーザが違和感を感じることを低減または抑制することができる。ステップＳ１９の通信処理は、後記する図１０の固定表示開始通信処理Ｃ１０に対応する。
そしてＣＰＵ２１は、データ送信モードを０ｘＦＦ（１６進数）に設定して（ステップＳ２０）、ステップＳ１０の処理に戻る。なお、上記した各ポップアップは秒表示を覆うように表示されると述べたが、これに限られない。分表示や、その他各種点滅が行われるアイコン表示など、常に表示内容が更新される表示を覆うように表示されてもよい。更新が常に行われる表示を覆ってポップアップを表示した固定表示を行うことで、ユーザが違和感を感じることを低減または抑制することができる。
【００３５】
ＣＰＵ２１は、データ送信モードが０ｘＦＦ（１６進数）ならば、ステップＳ２１に進み、報音を終了するか否かを判定する。ＣＰＵ２１は、報音を終了しないと判定したならば（Ｎｏ）、そのままステップＳ１０の処理に戻る。ＣＰＵ２１は、報音を終了すると判定したならば（Ｙｅｓ）、データ送信モードを０に設定し（ステップＳ２２）、固定フラグ解除を送信する（ステップＳ２３）。
【００３６】
ＣＰＵ２１は、データ送信モードの値を変化させることで送信処理の内容を変えている。これにより、動作処理マイコン２は、報音中に表示マイコン４に対して画面表示を固定させて、かつ表示マイコン４との通信を停止している。
【００３７】
つまり動作処理マイコン２は、データ送信モードが０のとき、通常のデータ送信処理を実行する。動作処理マイコン２は、データ送信モードが１のとき、アラームに係る固定フラグ情報を送信する。動作処理マイコン２は、データ送信モードが２のとき、タイマに係る固定フラグ情報を送信する。動作処理マイコン２は、データ送信モードが３から６のとき、気圧に係る固定フラグ情報を送信する。動作処理マイコン２は、データ送信モードが０ｘＦＦ（１６進）かつ報音終了のとき、各固定フラグの解除情報を送信する。
【００３８】
図１０は、第１の実施形態における警報音の報音パターンと表示通信のタイムチャートである。
第１のタイムチャートは理想的な警報音の報音パターンを示し、横軸の下側の数字は、警報音制御周期の番号を示している。第２のタイムチャートは、表示通信処理の期間を示している。第３のタイムチャートは実際の報音パターンを示し、横軸の下側の数字は、動作処理マイコン２が認識する警報音制御周期の番号を示している。表示通信の周期と報音パターンの周期は、１０００ミリ秒である。また、時間制御レジスタ２４の割り込み周期は、１／１６秒である。
【００３９】
時刻ｔ２は、報音開始のタイミングを示している。理想的な警報音の報音パターンは、時刻ｔ２の１／１６秒後にオンし、３／１６秒後にオフし、５／１６秒後にオンし、７／１６秒後にオフし、９／１６秒後にオンし、１１／１６秒後にオフするというものである。
【００４０】
動作処理マイコン２は、時間制御レジスタ２４の割り込みを検知すると、警報音カウンタを減算し、１６０から警報音カウンタを減算した値の１６の剰余によって、現在の警報音制御周期の番号を算出する。
【００４１】
動作処理マイコン２は、固定表示開始通信処理Ｃ１０を、時刻ｔ２の３／１６秒後から６／１６秒後まで実行する。これにより、第３のタイムチャート（実際の報音パターン）に示すように、警報音カウンタの減算処理が３周期に亘って行われなくなるため、動作処理マイコン２が認識する警報音制御周期の番号が３周期分ずれる。実際の報音パターンは、２発目のパルスが７／１６秒後にオンし、以降２／１６秒ずつ遅れることになる。
その後、表示マイコン４は、表示部通信処理Ｄ１０を時刻ｔ２の６／１６秒後から１０／１６秒後まで実行するが、報音には影響しない。
【００４２】
時刻ｔ３は、報音開始から１秒後のタイミングを示している。理想的な警報音の報音パターンは、時刻ｔ３の１／１６秒後にオンし、３／１６秒後にオフし、５／１６秒後にオンし、７／１６秒後にオフし、９／１６秒後にオンし、１１／１６秒後にオフするというものである。
【００４３】
時刻ｔ３において、実際の警報音カウンタは、理想的な警報音の報音パターンに比べて２周期だけ遅れて減算される。よって、実際の報音パターンは、時刻ｔ１の３／１６秒後にオンし、５／１６秒後にオフし、７／１６秒後にオンし、９／１６秒後にオフし、１１／１６秒後にオンし、１３／１６秒後にオフする。このように、実際の報音パターンは、理想的な警報音の報音パターンを２周期分遅らせただけなので、報音パターンの乱れが発生しなくなる。
【００４４】
このように、動作処理マイコン２は、警報音の報音時にマイコン間通信処理を停止する。マイコン間通信処理を停止しているときには警報音の報音パターンが乱れなくなり、所望のパターンでは鳴らせることができる。但し、報音開始時には、やはり警報音の報音パターンが乱れる場合がある。これは、動作処理マイコン２が、固定表示開始通信処理Ｃ１０を実行するためである。
【００４５】
《第２の実施形態の動作》
第１の実施形態の電子時計１では、固定表示開始フラグを送るタイミングが報音制御中のどのタイミングでくるか予測できない。そのため、固定表示開始フラグの送信処理によって報音パターンが乱れてしまっても影響が少なくなるように、動作処理マイコン２は、初回の報音の波形を１秒間だけ長音にして、並行して所定の固定表示を行わせるコマンドを表示マイコン４に送信している。
【００４６】
図１１は、第２の実施形態における警報音の報音処理のフローチャートである。
ステップＳ３０において、ＣＰＵ２１は、報音の開始を判定する。アラーム、タイムアップ、気圧変動により報音開始の条件が成立する。
ＣＰＵ２１は、報音の開始ではないと判定したならば（Ｎｏ）、ステップＳ４１の通常処理に進む。ここで通常処理とは、スピーカ３５による警報音の報音以外の処理をいう。ＣＰＵ２１は、報音の開始であると判定したならば（Ｙｅｓ）、時間制御レジスタ２４に対して１６Ｈｚの割込許可を設定し（ステップＳ３１）、警報音カウンタに１０秒間分の値に相当する１６０をセットする（ステップＳ３２）。これにより時間制御レジスタ２４は、１６Ｈｚの周期でＣＰＵ２１に対して割り込みを発生させる。
【００４７】
ステップＳ３３において、ＣＰＵ２１は、時間制御レジスタ２４による１６Ｈｚの割込タイミングが到来したか否かを判定する。ＣＰＵ２１は、１６Ｈｚの割込タイミングが到来していないならば（Ｎｏ）、ステップＳ４１の通常処理に進む。ＣＰＵ２１は、１６Ｈｚの割込タイミングが到来したならば（Ｙｅｓ）、ステップＳ３４の処理に進む。
【００４８】
ステップＳ３４において、ＣＰＵ２１は、スピーカ３５による警報音の報音中であるか否かを判定する。ＣＰＵ２１は、報音中でないならば（Ｎｏ）、ステップＳ４１の通常処理に進む。ＣＰＵ２１は、報音中ならば（Ｙｅｓ）、警報音カウンタを１だけマイナスする（ステップＳ３５）。
【００４９】
ステップＳ３６において、ＣＰＵ２１は、警報音カウンタが１４４を超えているか否かを判定する。警報音カウンタが１４４を超えているのは、報音開始後の１秒間である。ＣＰＵ２１は、警報音カウンタが１４４を超えているならば（Ｙｅｓ）、警報音をオンする（ステップＳ３７）。これにより、１秒間に亘って長音で警報音を報音することができる。
【００５０】
ＣＰＵ２１は、警報音カウンタが１４４を超えていないならば（Ｎｏ）、警報音カウンタを参照して報音パターンテーブル２３１より警報音のオンオフを読み込み、オンならばスピーカ３５から警報音を報音する（ステップＳ３８）。
【００５１】
ステップＳ３９において、ＣＰＵ２１は、警報音カウンタが０であるか否かを判定する。ＣＰＵ２１は、警報音カウンタが０ならば（Ｙｅｓ）、報音を終了する（ステップＳ４０）。ＣＰＵ２１は、警報音カウンタが０以外ならば（Ｎｏ）、ステップＳ４１の通常処理に進む。
ステップＳ４１において、ＣＰＵ２１は、通常処理を行う。ステップＳ４１の通常処理とは、時刻の計時、操作部３１による操作の検知、気圧センサ３２のセンシング、表示通信処理など、スピーカ３５による警報音の報音処理を除く他の処理をいう。
ステップＳ４２において、ＣＰＵ２１は、報音開始後であるか否かを判定する。ＣＰＵ２１は、報音開始後ならば（Ｙｅｓ）、ステップＳ３３の判定処理に戻り、報音開始後でないならば（Ｎｏ）、ステップＳ３０の判定処理に戻る。
【００５２】
図１２は、第２の実施形態における報音開始時の報音パターンと表示通信のタイムチャートである。
図１２と図１３において、第１のタイムチャートは理想的な警報音の報音パターンを示し、横軸の下側の数字は、警報音制御周期の番号を示している。第２のタイムチャートは、表示通信処理の期間を示している。第３のタイムチャートは実際の報音パターンを示し、横軸の下側の数字は、動作処理マイコン２が認識する警報音制御周期の番号を示している。表示通信の周期と報音パターンの周期は、１０００ミリ秒である。また、時間制御レジスタ２４の割り込み周期は、１／１６秒である。
【００５３】
図１２に示すように、時刻ｔ４は、報音開始のタイミングを示している。理想的な警報音の報音パターンは、時刻ｔ２の１／１６秒後にオンし、時刻ｔ５にオフするというものである。
動作処理マイコン２は、マイコン間通信処理Ｃ１１を、時刻ｔ４から、その３／１６秒後まで実行する。これにより、第３のタイムチャート（実際の報音パターン）に示すように、警報音カウンタの減算処理が行われなくなるため、実際の報音パターンは、３／１６秒後にオンし、以降３／１６秒ずつずれる。その後、表示マイコン４は、表示部通信処理Ｄ１１を時刻ｔ４の３／１６秒後から７／１６秒後まで実行するが、報音には影響しない。
【００５４】
更に動作処理マイコン２は、固定表示開始通信処理Ｃ１２を、時刻ｔ４の８／１６秒後から１１／１６秒後まで実行する。これにより警報音カウンタは、理想的な場合に比べて６だけ遅れて減算される。つまり、最初の１秒間の長音がオフするのは、時刻ｔ５の６／１６秒後である。つまり、実際には、長音は、２０／１６秒に亘ってオンする。しかし、所定パターンの乱れとは異なり、長音の期間の相違は人間に検知されにくく目立たない。
その後、表示マイコン４は、表示部通信処理Ｄ１２を時刻ｔ４の１１／１６秒後から１５／１６秒後まで実行するが、報音には影響しない。
【００５５】
時刻ｔ３は、報音開始から１秒後のタイミングを示している。理想的な警報音の報音パターンは、時刻ｔ３の１／１６秒後にオンし、３／１６秒後にオフし、５／１６秒後にオンし、７／１６秒後にオフし、９／１６秒後にオンし、１１／１６秒後にオフするというものである。
【００５６】
時刻ｔ３において、実際の警報音カウンタは、理想的な警報音の報音パターンに比べて６周期だけ遅れて減算される。よって、実際の報音パターンは、時刻ｔ１の７／１６秒後にオンし、９／１６秒後にオフし、１１／１６秒後にオンし、１３／１６秒後にオフする。このように、実際の報音パターンは、理想的な警報音の報音パターンを６周期分遅らせただけなので、報音パターンの乱れが発生しなくなる。
【００５７】
このように、動作処理マイコン２は、スピーカ３５による警報音の報音開始時を長音として、かつマイコン間通信処理を停止している。これにより、警報音の報音のパターンが乱れることがなくなり、所望のパターンで鳴らせることができる。なお、長音の期間は、動作処理マイコン２と表示マイコン４との通信周期よりも長いことが望ましい。これにより、確実に報音パターンの乱れを防ぐことができる。
【００５８】
図１３は、第２の実施形態における報音終了時の報音パターンと表示通信のタイムチャートである。
図１３に示すように、時刻ｔ１３は、理想的な報音終了タイミングの１秒前を示している。つまり、時刻ｔ１３は、図１２の時刻ｔ４の９秒後である。このときの理想的な警報音の報音パターンは、時刻ｔ１３の１／１６秒後にオンし、３／１６秒後にオフし、５／１６秒後にオンし、７／１６秒後にオフし、９／１６秒後にオンし、１１／１６秒後にオフするというものである。
【００５９】
実際の報音パターンは理想的な場合と比べて、６／１６秒だけ遅れている。実際の報音パターンは、時刻ｔ１３の６／１６秒後にオンし、８／１６秒後にオフし、１０／１６秒後にオンし、１２／１６秒後にオフし、１４／１６秒後にオンし、時刻ｔ１４にオフする。
【００６０】
時刻ｔ１４は、理想的な報音パターンの終了タイミングを示している。実際の報音パターンは理想的な場合と比べて、６／１６秒だけ遅れているので、動作処理マイコン２は、時刻ｔ１４から６／１６秒だけ遅れて報音パターンを終了し、固定表示終了通信処理Ｃ１３を実行する。
その後、表示マイコン４は、表示部通信処理Ｄ１３を時刻ｔ１４の９／１６秒後から１３／１６秒後まで実行する。すると、表示マイコン４は固定表示を終了し、例えば図６などに示したアラーム・ポップアップ６１を消去する。
【００６１】
《各実施形態の効果》
２チップマイコン搭載の時計において、警報音による報音パターンの音乱れを回避することができる。アラームモード、タイマモード、気圧インフォメーション等の報音時において、警報音の音乱れを防ぐことができる。
【００６２】
（変形例）
本発明は、上記実施形態に限定されることなく、本発明の趣旨を逸脱しない範囲で、変更実施が可能であり、例えば、次の（ａ）〜（ｆ）のようなものがある。
【００６３】
（ａ）  警報音の報音条件は、アラーム、タイマ、気圧変動に限定されず、任意のものであってもよい。
（ｂ）  ２チップマイコン搭載の時計に限定されず、３チップ以上のマイコンを搭載した電子時計に適用してもよい。
（ｃ）  本発明は、２チップマイコン搭載の時計に限定されず、ワンチップマイコンによってスピーカと、このスピーカよりも高い優先順位の周辺回路を制御するものに適用してもよい。
（ｄ）  本発明は、スピーカから報音する警報音に限定されず、ブザーの鳴動やバイブレータの振動による報知に適用してもよい。
（ｅ）  警報音は、人間の可聴領域の音ならば任意のものでよい。
（ｆ）  警報音の報音の間、電子時計は、時刻情報の秒表示を覆うようにポップアップ画面を表示することに限定されず、秒単位に表示を更新する表示要素を含まない表示画面に遷移してもよい。
【００６４】
以下に、この出願の願書に最初に添付した特許請求の範囲に記載した発明を付記する。付記に記載した請求項の項番は、この出願の願書に最初に添付した特許請求の範囲の通りである。
〔付記〕
【００６５】
《請求項１》
スピーカと、
時刻を計時する計時手段と、
前記スピーカから報音する警報音のオンとオフを制御する第１の制御部と、
表示手段と、
前記表示手段を制御し、かつ前記第１の制御部と通信接続されて時刻情報を前記表示手段に表示する第２の制御部と、を備えた電子時計であって、
前記第１の制御部は、前記警報音を所定パターンでオンオフさせる間、前記第２の制御部との間の通信を停止する、
ことを特徴とする電子時計。
《請求項２》
前記第１の制御部は、前記警報音を所定パターンでオンオフさせる間、前記第２の制御部に、前記表示手段を制御して所定の固定表示を行わせる、
ことを特徴とする請求項１に記載の電子時計。
《請求項３》
前記第１制御部は、前記警報音を所定期間に亘って長音で報音させつつ、並行して前記所定の固定表示を行わせるコマンドを前記第２制御部に送信する、
ことを特徴とする請求項２に記載の電子時計。
《請求項４》
前記所定期間は、前記第１の制御部が前記第２の制御部に前記所定の固定表示を行わせるコマンドを送信する処理を完了するまでの期間より長い、
ことを特徴とする請求項３に記載の電子時計。
《請求項５》
前記所定の固定表示は、前記表示手段に表示される時刻情報の秒表示を覆うように表示されるポップアップ画面を含む表示である、
ことを特徴とする請求項３に記載の電子時計。
《請求項６》
前記所定の固定表示は、秒単位に表示を更新する表示要素を含まない表示画面である、
ことを特徴とする請求項３に記載の電子時計。
《請求項７》
前記第１制御部は、前記警報音の報音を終了させる際、前記所定の固定表示を解除するコマンドを前記第２制御部に送信し、かつ前記第２制御部との間の通信を再開する、
ことを特徴とする請求項２に記載の電子時計。
《請求項８》
表示手段を制御する表示制御部と通信可能に接続され、スピーカから報音する警報音のオンとオフを制御可能に接続され、かつ時刻を計時する計時制御部が実行する電子時計の報音方法であって、
前記計時制御部は、前記スピーカから警報音を報音させない場合、前記表示制御部との間の通信により所望の表示を行わせ、
前記警報音を所定パターンでオンオフさせて報音させる間、前記表示制御部に所定の固定表示を行わせ、かつ前記表示制御部との間の通信を停止する、
ことを特徴とする電子時計の報音方法。
《請求項９》
表示手段を制御する表示制御部と通信可能に接続され、スピーカから報音させる警報音のオンとオフを制御可能に接続され、かつ時刻を計時する計時制御部に、
前記スピーカから前記警報音を報音させない場合、前記表示制御部との間の通信により所望の表示を行わせる手順、
前記警報音を所定パターンでオンオフさせて報音させる間、前記表示制御部に所定の固定表示を行わせる手順、および前記表示制御部との間の通信を停止する手順、
を実行させるためのプログラム。
【符号の説明】
【００６６】
１  電子時計
２  動作処理マイコン  （第１の制御部、計時制御部）
２１  ＣＰＵ
２２  ＲＡＭ
２３  ＲＯＭ
２３１  報音パターンテーブル
２４  時間制御レジスタ
２５  発振回路
２６  分周回路
２７  計時回路
３１  操作部
３２  気圧センサ
３３  電源部
３４  電池
３５  スピーカ
４  表示マイコン  （第２の制御部、表示制御部）
４１  ＣＰＵ
４２  ＲＡＭ
４３  ＲＯＭ
５  表示部  （表示手段）
６  時刻表示画面
６１  アラーム・ポップアップ
６２  タイムアップ・ポップアップ
６３  気圧インフォメーションポップアップ
７  振動子
８  通信線
【図１】
2019086373.tif 000003
【図２】
2019086373.tif 000004
【図３】
2019086373.tif 000005
【図４】
2019086373.tif 000006
【図５】
2019086373.tif 000007
【図６】
2019086373.tif 000008
【図７】
2019086373.tif 000009
【図８】
2019086373.tif 000010
【図９】
2019086373.tif 000011
【図１０】
2019086373.tif 000012
【図１１】
2019086373.tif 000013
【図１２】
2019086373.tif 000014
【図１３】
2019086373.tif 000015